【事件の表示】
　特許第３２６４５９７号「ドラム式乾燥機」の請求項１に係る特許に対する特許異議の申立てについて、次のとおり決定する。
【結　論】
　訂正を認める。
　本件特許異議の申立てを却下する。
【理　由】
１．手続の経緯
　特許第３２６４５９７号（請求項の数５）に係る発明についての出願は、平成７年２月２７日に特許出願され、平成１３年１２月２８日にその発明について特許の設定登録がなされ、その後、その請求項１に係る発明の特許について、申立人・株式会社日立製作所より特許異議の申立てがなされ、取消理由通知がなされ、その指定期間内である平成１５年７月１５日に訂正請求（後日取下）がなされ、その後再度の取消理由通知がなされ、その指定期間内である平成１６年８月２４日に再度の訂正請求がなされたものである。
　
２．訂正の適否についての判断
(1) 訂正の内容
　ア．訂正事項ａ
　　特許請求の範囲の請求項１を削除する。
　イ．訂正事項ｂ
　　特許請求の範囲の請求項２ないし５を次のように訂正する。
「【請求項
１
モータおよびヒータに交流電源を供給し、モータによりドラムを回転させながら該ドラム内にヒータにより加熱された温風を供給して被乾燥物を乾燥させるものにおいて、
　
前記交流電源を前記モータおよびヒータに供給する通電路を開閉する開閉手段と、
　
前記交流電源を直流化する直流電源部と、
　
この直流電源部の直流電圧を印加することにより有効化される制御手段と、
　
前記直流電源部の直流電圧を印加することにより有効化され、前記制御手段からの制御信号に基づき前記開閉手段を制御する駆動手段と、
　
被乾燥物の出入口を開閉するドアに連動してオンオフするドアスイッチとを具備し、
　
前記直流電源部の直流電圧を前記駆動手段に印加する通電路を前記ドアスイッチにより開閉する構成とし、
　　【請求項
２
　制御手段は電源用操作スイッチが操作されたことを検出して前記リレースイッチの励磁コイルに通電し、リレースイッチをオン状態に保持するように構成されていることを特徴とする請求項
１
　　【請求項
３
２
　　【請求項
４
３
　ウ．訂正事項ｃ
　　明細書の段落【０００６】に記載の「ドアスイッチにより開閉する構成としたことを特徴とするものである。」を「ドアスイッチにより開閉する構成とし
、ドアスイッチと直列に電源スイッチが接続されている
　エ．訂正事項ｄ
　　明細書の段落【０００７】に記載の「請求項２記載のドラム式乾燥機は、ドアスイッチと直列に電源スイッチが接続されていることを特徴とするものである。請求項３記載のドラム式乾燥機は、」を「請求項
２
　オ．訂正事項ｅ
　　明細書の段落【０００８】に記載の「請求項４」を「請求項
３
４
　カ．訂正事項ｆ
　　明細書の段落【０００９】に記載の「ヒータを断電することができる。」の後に、「
しかもドアを閉じ且つ電源スイッチを投入しないと乾燥運転が行われないので、より安全である。
　キ．訂正事項ｇ
　　明細書の段落【００１０】に記載の「請求項２記載の手段によれば、ドアを閉じ且つ電源スイッチを投入しないと乾燥運転が行われないので、より安全である。」を削除し、「請求項３」を「請求項
２
　ク．訂正事項ｈ
　　明細書の段落【００１１】に記載の「請求項４」を「請求項
３
４
　ケ．訂正事項ｉ
　　明細書の段落【００４４】に記載の「請求項２記載のドラム式乾燥機では、」を、「
しかも
　コ．訂正事項ｊ
　　明細書の段落【００４５】に記載の「請求項３」を「請求項
２
　サ．訂正事項ｋ
　　明細書の段落【００４６】に記載の「請求項４」を「請求項
３
　シ．訂正事項ｌ
　　明細書の段落【００４７】に記載の「請求項５」を「請求項
４
　
(2) 訂正の目的の適否、新規事項の有無及び拡張・変更の存否
　上記訂正事項ａは、請求項の削除であるから、特許請求の範囲の減縮を目的とした明細書の訂正に該当する。
　また、上記訂正事項ｂは、上記訂正事項ａとの整合を図るため、請求項２に対し、請求項１の従属項形式であった記載を独立項形式に改めて新たな請求項１にすると共に、請求項３ないし５に対し、項番の順次繰り上げと、引用する請求項の整合を図るものであるから、明りょうでない記載の釈明を目的とした明細書の訂正に該当する。
　さらに、上記訂正事項ｃないしｌは、上記訂正事項ａ及びｂとの整合を図るためのものであるから、明りょうでない記載の釈明を目的とした明細書の訂正に該当する。
　そして、上記いずれの訂正事項も、新規事項の追加に該当せず、「制御手段の制御機能が損われた場合、ドアスイッチによりモータおよびヒータを断電することができる上、ドアスイッチに大きな電流が流れることがなく、ドアスイッチの長寿命化を図ることができるドラム式乾燥機を提供する」という課題に変更を及ぼすものでもないから、実質上特許請求の範囲を拡張し、又は変更するものでもない。
　
(3) むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについての判断
　請求項１に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１６年８月２７日（２００４．８．２７）
【訂正の要旨】
審決（決定）の【理由】欄参照。
（５４）【発明の名称】
ドラム式乾燥機
（５７）【特許請求の範囲】
　【請求項
１
モータおよびヒータに交流電源を供給し、モータによりドラムを回転させながら該ドラム内にヒータにより加熱された温風を供給して被乾燥物を乾燥させるものにおいて、
　前記交流電源を前記モータおよびヒータに供給する通電路を開閉する開閉手段と、
　前記交流電源を直流化する直流電源部と、
　この直流電源部の直流電圧を印加することにより有効化される制御手段と、
　前記直流電源部の直流電圧を印加することにより有効化され、前記制御手段からの制御信号に基づき前記開閉手段を制御する駆動手段と、
　被乾燥物の出入口を開閉するドアに連動してオンオフするドアスイッチとを具備し、
　
前記直流電源部の直流電圧を前記駆動手段に印加する通電路を前記ドアスイッチにより開閉する構成とし、
　【請求項
２
　制御手段は電源用操作スイッチが操作されたことを検出して前記リレースイッチの励磁コイルに通電し、リレースイッチをオン状態に保持するように構成されていることを特徴とする請求項
１
　【請求項
３
２
　【請求項
４
３
【発明の詳細な説明】
　【０００１】
　【産業上の利用分野】
　本発明は制御手段の制御機能が損われた場合に対処できるようにしたドラム式乾燥機に関する。
　【０００２】
　【従来の技術】
　従来のドラム式乾燥機において、ドラムを駆動するモータおよび温風の熱源となるヒータを制御するための電気的回路構成として図７および図８に示されたものがある。まず、両図において共通部分を説明するに、モータ１およびヒータ２，３はリレー４〜６のリレースイッチ４ａ〜６ａと直列に接続されてそれぞれ１００Ｖの商用交流電源７に接続されている。また、交流電源７には、該交流電源７の電圧を降圧して直流化する直流電源部８が接続されており、この直流電源部９の直流電圧はマイクロコンピュータ９および駆動回路１０に印加される。駆動回路１０はマイクロコンピュータ９からの制御信号に基づき、各リレー４〜６の励磁コイル（図示せず）を通断電してリレースイッチ４ａ〜６ａを開閉する。
　【０００３】
　さて、ドラム式乾燥機では、通常、被乾燥物の出入口を開閉するドアが閉じられた状態で、乾燥運転が行われるように構成される。そのために、図７のものでは、ドアが閉鎖されたときオンするドアスイッチ１１のオン信号がマイクロコンピュータ９に与えられるように構成している。そして、マイクロコンピュータ９はドアスイッチ１１からのオン信号の入力によりドアが閉じられたことを検知し、駆動回路１０を介してモータ１およびヒータ２，３を制御する。また、図８のものでは、モータ１およびヒータ２，３の通電路中にドアスイッチ１１を設け、ドアが閉じられるとドアスイッチ１１がオンしてヒータ１およびヒータ２，３に通電可能な状態となるように構成している。
　【０００４】
　【発明が解決しようとする課題】
　しかしながら、図７の構成のものでは、例えばマイクロコンピュータ９が暴走したような場合、電源プラグをコンセントから引き抜かない限り、モータ１およびヒータ２，３を断電できなくなってしまうことがある。図８の構成のものでは、マイクロコンピュータ９が暴走したような場合、ドアを開いてドアスイッチ１１をオフさせることにより、モータ１およびヒータ２，３を断電できるが、ドアスイッチ１１にはモータ１およびヒータ２，３に流れる電流を合計した大きな電流が流れるため、比較的小形のスイッチで構成されることの多いドアスイッチ１１の寿命が短くなるおそれがあり、またドアスイッチ１１の端子部にトラッキングが発生する可能性がある。
　【０００５】
　本発明は上記の事情に鑑みてなされたもので、その目的は、制御手段の制御機能が損われた場合、ドアスイッチによりモータおよびヒータを断電することができる上、ドアスイッチに大きな電流が流れることがなく、ドアスイッチの長寿命化を図ることができるドラム式乾燥機を提供するにある。
　【０００６】
　【課題を解決するための手段】
　請求項１記載のドラム式乾燥機は、モータおよびヒータに交流電源を供給し、モータによりドラムを回転させながら該ドラム内にヒータにより加熱された温風を供給して被乾燥物を乾燥させるものにおいて、
　前記交流電源を前記モータおよびヒータに供給する通電路を開閉する開閉手段と、
　前記交流電源を直流化する直流電源部と、
　この直流電源部の直流電圧を印加することにより有効化される制御手段と、
　前記直流電源部の直流電圧を印加することにより有効化され、前記制御手段からの制御信号に基づき前記開閉手段を制御する駆動手段と、
　被乾燥物の出入口を開閉するドアに連動してオンオフするドアスイッチとを具備し、
　前記直流電源部の直流電圧を前記駆動手段に印加する通電路を前記ドアスイッチにより開閉する構成とし
、ドアスイッチと直列に電源スイッチが接続されている
　【０００７】
　請求項
２
　【０００８】
　請求項
３
　請求項
４
　【０００９】
　【作用】
　請求項１記載の手段によれば、ドアを開くと、ドアスイッチにより駆動手段への直流電圧の印加が断たれる。このため、駆動手段は無効化され、開閉手段がモータおよびヒータの通電路を開放する。従って、制御手段の制御機能が損われたとき、例えばマイクロコンピュータが暴走したとき、ドアを開くことによってモータおよびヒータを断電することができる。
しかもドアを閉じ且つ電源スイッチを投入しないと乾燥運転が行われないので、より安全である。
　【００１０】
　請求項
２
　【００１１】
　請求項
３
　請求項
４
　【００１２】
　【実施例】
　以下、本発明の第１実施例を図１〜図３に基づいて説明する。
　ドラム式乾燥機の全体構成を示す図３において、外箱２１の前面部中央には被乾燥物である衣類を出し入れするための出入口２２が形成されていると共に、この出入口２２を開閉するドア２３が枢設されている。また、外箱２１内には、出入口２２を通じて投入された衣類を収容するドラム２４が回転可能に設けられている。この場合、ドラム２４の前面側は外箱２１の前側に取り付けられた支持板２５に支持され、後面側は外箱２１の後部に取り付けられたケーシング２６に軸２７を介して支持されている。
　【００１３】
　更に、前記外箱２１内の後部には送風装置２８が設けられている。この送風装置２８は前記ケーシング２６と、このケーシング２６内にその内部を前後に二分するように配設されて軸２９に回転可能に支持された熱交換器兼用の両翼形のファン３０とから構成されている。そして、外箱２１内には前端部内側にヒータ例えばＰＴＣヒータ３１および３２を配設したダクト３３が前後方向に延びるようにして設けられており、このダクト３３の後端部はケーシング２６の前部側に連通し、前端部はドラム２４内に連通している。
　【００１４】
　前記ドラム２４およびファン３０は外箱２１内の後部に配設された両軸形のモータ３４によりそれぞれベルト３５および３６を介して回転駆動されるようになっている。そして、ファン３０が回転すると、ドラム２４内の空気がフィルタ３７およびドラム２４の後面部に形成された通気孔３８を通じてケーシング２６内の前部側に吸入された後、ダクト３３を介してドラム２４内に送風される共に、外気が吸入孔３９からケーシング２６内の後部側に吸入されて同排気孔４０から外部に排出されるように構成されている。
　【００１５】
　一方、外箱２１の前面部にはドア２３の下方に位置して操作パネル４１が設けられている。この操作パネル４１には図示はしないが乾燥コース選択スイッチ、スタートスイッチ等を構成する複数のタクトスイッチが設けられ、このタクトスイッチは操作パネル４１の前面部に形成された押圧部４１ａ（図２参照）を介して操作できるようになっている。また、外箱１１の前部裏側には操作パネル４１の上部近傍に位置するようにしてドアスイッチ４２が設けられ、このドアスイッチ４２はドア２３の閉鎖によりオンするように構成されている。
　【００１６】
　更に、支持板２５の下部にはドラム２４内に臨むようにして衣類（被乾燥物）検知用例えば乾燥度検知用の一対の電極４３が設けられている。この電極４３にはドラム２４内の衣類が該ドラム２４の回転に伴って間欠的に接触するものであり、その接触時の両電極４３間の抵抗値は衣類に含まれる水分に応じて、すなわち衣類の乾燥度に応じて変化する。このことから、両電極４３間の抵抗値を検出することにより衣類の乾燥度を検出することができるものである。
　【００１７】
　さて、電気的制御構成を示す図１において、１００ｖの商用交流電源が供給されるコンセント（図示せず）に接続される電源プラグ４４には一対の交流母線４５，４６が接続されている。そして、一対の交流母線４５，４６間には、モータ３４とトライアック４７、ＰＴＣヒータ３１とトライアック４８、ＰＴＣヒータ３２とトライアック４９の各直列回路が並列に接続されており、それらトライアック４７〜４９はモータ３４、各ＰＴＣヒータ３１，３２の通電路を開閉するための開閉手段として機能する。
　【００１８】
　また、一対の交流母線４５，４６間には直流電源部５０の降圧トランス５１の一次コイル５２が接続されている。この降圧トランス５１の二次コイル５３には整流回路５４と平滑コンデンサ５５とからなる整流平滑回路５６が接続され、更にこの整流平滑回路５６のプラス側出力端子に接続されたプラス側直流電源線５７とマイナス側端子に接続されたマイナス側直流電源線５８との間には定電圧回路５９が接続されている。なお、プラス側直流電源線５７は一対の交流母線４５，４６のうちの一方、例えば交流母線４５に接続され、またマイナス側直流電源線５８はグランドラインに接続されている。
　【００１９】
　上記直流電源部５０は制御手段を構成するマイクロコンピュータ６０の直流電源として機能するもので、そのうちマイクロコンピュータ６０には上記定電圧回路５９の出力である定電圧化された直流電圧が印加される。このマイクロコンピュータ６０は直流電圧の印加により有効化され、図示しないスタートスイッチが操作されると、予め設定された乾燥プログラムに従って駆動回路６１を介してトライアック４７〜４９を制御し乾燥運転を実行するように構成されている。なお、電源プラグ４４が図示しない交流電源のコンセントに接続されると、マイクロコンピュータ６０には直ちに定電圧回路５９の直流電圧が印加されるようになっている。
　【００２０】
　また、前記一対の電極４３は定電圧回路５９からの直流電圧が印加される乾燥度検出回路６２に接続されており、この乾燥度検出回路６２は一対の電極４３間の電圧によりドラム２４内の衣類の乾燥度を検出し、その乾燥度検出信号をマイクロコンピュータ６０に与えるようになっている。そして、マイクロコンピュータ６０は乾燥度検出回路６２からの乾燥度検出信号により衣類が乾燥したことを検知すると、乾燥運転を停止するように構成されている。
　【００２１】
　上記駆動回路６１は駆動手段としての３個のバッファ回路、例えばインバータ６３〜６５から構成されており、それらインバータ６３〜６５の入力端子はマイクロコンピュータ６０の出力ポートに接続され、出力端子は各トライアック４７〜４９のゲートに接続されている。このインバータ６３〜６５は直流電圧が与えられると有効化され、マイクロコンピュータ６０から制御信号たる駆動信号が与えられると、トライアック４７〜４９のゲートにゲート信号を与えてトライアック４７〜４９をオンさせるようになっている。
　【００２２】
　上記インバータ６３〜６５には前記直流電源部５０の直流電圧が印加されるようになっており、そのために駆動回路６１の一方の端子は整流平滑回路５６のプラス側直流電源線５７に接続され、他方の端子はグランドラインに接続されている。そして、駆動回路６１の一方の端子とプラス側直流電源線５７との間を接続する通電路に前記ドアスイッチ４２が接続されていると共に、ドアスイッチ４２と駆動回路６１との接続点がマイクロコンピュータ６０の入力ポートに接続されている。
　【００２３】
　次に上記構成の作用を説明する。
　電源プラグ４４を１００ｖの商用交流電源のコンセント（図示せず）に接続すると、その交流電源は直流電源部５０により例えば５ｖに降圧されて直流化される。そして、マイクロコンピュータ６０に定電圧回路５９により電圧変動のない状態にされた５Ｖの直流電圧が印加され、これによりマイクロコンピュータ６０が有効化される。
　【００２４】
　さて、洗濯後の衣類を乾燥すべく、ドア２３を開いて出入口２２からドラム２４内に衣類を投入し、ドア２３を閉じる。このドア２３の閉鎖により、ドアスイッチ４２がオンする。このドアスイッチ４２のオンにより、直流電源部５０の直流電圧が駆動回路６１に与えられると共に、マイクロコンピュータ６０にドア２３の閉鎖検知信号として入力される。その後、乾燥コース選択スイッチを操作して所望の乾燥コースを選択し、スタートスイッチを操作する。
　【００２５】
　スタートスイッチが操作されると、マイクロコンピュータ６０は駆動回路６１のインバータ６３〜６５に駆動信号を与え、インバータ６３〜６５は駆動信号に応答してトライアック４７〜４９にゲート信号を与える。これにより、トライアック４７〜４９がオン状態となり、モータ３４が通電されてドラム２４およびファン３０を回転駆動すると共に、ＰＴＣヒータ３１，３２が通電されて発熱する。そして、ドラム２４内の空気はファン３０の回転によりフィルタ３７および通気孔３８からケーシング２６内の前部側に吸入され、ダクト３３を通じて再びドラム２４内に戻されるというようにように循環し、この循環過程でＰＴＣヒータ３１，３２により加熱温風化されてドラム２４内の衣類を乾燥させる。これと同時に、ファン３０の回転によって外気が吸入孔３９からケーシング２６内の後部側に吸入されて排出孔４０から排出されるため、この外気によりケーシング２６の前部側に吸入されるドラム２４からの温風が冷却されて除湿される。
　【００２６】
　このようにドラム２４を回転させながら該ドラム２４内に温風を供給して行う乾燥運転中、マイクロコンピュータ６０は衣類の乾燥度合を乾燥度検出回路６２からの乾燥度検出信号により検知している。そして、衣類の乾燥が完了すると、マイクロコンピュータ６０は駆動信号の出力を停止する。すると、インバータ６３〜６５はゲート信号の出力を停止するため、トライアック４７〜４９がオフされる。これによりモータ３４、ＰＴＣヒータ３１，３２が断電され、以上により乾燥運転が終了する。この後、ドア２３を開いて出入口２２からドラム２４内の衣類を取り出すものである。
　【００２７】
　ところで、上述のような乾燥運転中において、何らかの原因でマイクロコンピュータ６０が暴走し、衣類の乾燥が終了してもマイクロコンピュータ６０から駆動信号が出力されたままとなってモータ３４、ＰＴＣヒータ３１，３２が通電されたままになることがある。このような場合には、ドア２３を開く。すると、ドアスイッチ４２がオフし、直流電源部５０と駆動回路６１との間が遮断されるため、駆動回路６１への直流電圧の印加がなくなる。これにより駆動回路６１が無効化され、マイクロコンピュータ６０から駆動信号が出力されていても、インバータ６３〜６５はゲート信号の出力を停止するため、トライアック４７〜４９がオフされてモータ３４、ＰＴＣヒータ３１，３２が断電される。
　【００２８】
　このように本実施例によれば、ドアスイッチ４２には、該ドアスイッチ４２がオンしたことをマイクロコンピュータ６０に検知させるための微弱な電流、および駆動回路６１を有効化させるための微弱な電流が流れるだけであるから、その寿命が長くなると共に、その端子部にトラッキングが発生するおそれもない。ちなみに、トラッキングは交流電圧１００Ｖが加わる異極間では発生する可能性があるが、直流電圧４５Ｖ以下で電流１０Ａ以下であれば発生しないことが一般に知れられている。
　【００２９】
　しかも、ドアスイッチ４２を直流電源部５０と駆動回路６１との間の通電路中に設けたので、マイクロコンピュータ６０が暴走してもドア２３を開くことにより乾燥運転を停止させることができ、緊急を要する場合に素早く対処でき安全性の向上を図ることができる。
　【００３０】
　図４は本発明の第２実施例を示すもので、以下前記第１実施例の図１と同一部分には同一符号を付して示し、異なる部分のみ説明する。
　直流電源部５０のプラス側直流電源線５７と駆動回路６１とを接続する通電路には、電源スイッチとしてのリレー６６のリレースイッチ６７がドアスイッチ４２と直列に該ドアスイッチ４２よりも直流電源部５０側に位置するように接続されている。そして、リレースイッチ６７とドアスイッチ４２の共通接続点にリレー６６の励磁コイル６８の一端側が接続され、励磁コイル６８の他端側がＮＰＮ形のトランジスタ６９のコレクタに接続されている。そして、トランジスタ６９のエミッタはグランドラインに接続され、ゲートはマイクロコンピュータ６０の出力ポートに接続されている。また、リレースイッチ６７と並列に例えばタクトスイッチからなる電源用操作スイッチ７０が接続されている。そして、この電源用操作スイッチ７０を構成するタクトスイッチは乾燥コース選択スイッチ、スタートスイッチ等を構成する他のタクトスイッチと共に操作パネル４１に同一の領域内に位置するようにして配設されている。
　【００３１】
　上記構成において、ドラム２４内に洗濯後の衣類を投入し、ドア２３を閉鎖する。この後、電源操作用操作スイッチ７０を操作すると、ドア２３の閉鎖によりドアスイッチ４２が既にオンしているため、ドア２３の閉鎖および電源用操作スイッチ７０のオンを検知するための信号として直流電源部５０の直流電圧がマイクロコンピュータ６０に入力される。すると、マイクロコンピュータ６０はトランジスタ６９にゲート信号を与え、該トランジスタ６９をオンさせる。このため、励磁コイル６８が通電されてリレースイッチ６７をオン状態に保持する。従って、電源用操作スイッチ７０は操作後自動復帰してオフするも、リレースイッチ６７がオン状態を保持（自己保持）するため、駆動回路６１に直流電源部５０の直流電圧が印加されて該駆動回路６１が有効化された状態を維持する。
　【００３２】
　このように本実施例によれば、リレースイッチ６７とドアスイッチ４２とが直流電源部５０の直流電圧を駆動回路６１に印加するための通電路に直列に接続されているので、電源スイッチたるリレースイッチ６７がオンされ、且つドアスイッチ４２がオンされないと乾燥運転が開始されなくなり、より安全となる。しかも、リレースイッチ６７に大きな電流が流れることがないので、その長寿命化を図ることができる。
　【００３３】
　また、電源スイッチをリレー６６により構成し、電源用操作スイッチ７０を操作することによりリレースイッチ６７がオンするようにしたので、電源用操作スイッチ７０をタクトスイッチで構成して他のタクトスイッチと共に操作パネルの同一領域内にまとめて配置することができる。このため、押圧操作毎にオンオフを繰り返す押釦式スイッチで電源スイッチを構成する場合には、その押釦式スイッチを乾燥コース選択スイッチ、スタートスイッチ等を構成するタクトスイッチの配置領域とは別の部位に離して設けなければならないという制約があるが、本実施例では、電源用操作スイッチ７０を乾燥コース選択用、スタート用等の他のタクトスイッチと同一領域内に設けることができ、意匠的外観を向上させることができる。
　【００３４】
　図５および図６は本発明の第３実施例を示すもので、以下上記第２実施例を示す図４と同一部分に同一符号を付して異なる部分のみ説明する。
　この実施例では、モータ３４、ＰＴＣヒータ３１，３２の通電路を開閉する開閉手段をリレー７１〜７３のリレースイッチ７４〜７６としたもので、それらリレースイッチ７４〜７６はモータ３４、ＰＴＣヒータ３１，３２の通電路に接続されている。
　【００３５】
　一方、直流電源部５０の降圧トランス５１には二次コイル５３とは別に二次コイル７７が設けられており、その二次コイル７７には整流回路７８と平滑コンデンサ７９とから構成された整流平滑回路８０が接続されている。この整流平滑回路８０は駆動手段としての駆動回路８１の直流電源として機能し、そのマイナス側直流電源線８２はグランドラインに接続され、プラス側直流電源線８３は電源スイッチを構成するリレースイッチ６７およびドアースイッチ４２を介して駆動回路８１に接続されている。この場合、マイクロコンピュータ６０の直流電源として機能する二次コイル５３側の定電圧回路５９の出力電圧は５Ｖに設定され、駆動回路８１の直流電源である二次コイル７７側の直流出力である整流平滑回路８０の出力電圧は２４Ｖに設定されている。なお、この実施例では整流平滑回路５６，８０のいずれも交流母線４５，４６とは接続されていない。
　【００３６】
　そして、電源用操作スイッチ７０がオン動作したことを検出するために、電源用操作スイッチ７０とリレースイッチ６７とドアスイッチ４２の共通接続点は電圧変換部８４を介してマイクロコンピュータ６０の入力ポートに接続されている。また、リレースイッチ６７およびドアスイッチ４２がオン動作したことを検出するために、ドアスイッチ４２と駆動回路８１との共通接続点が電圧変換部８５を介してマイクロコンピュータ６０の入力ポートに接続されている。この電圧変換部８４，８５は例えばＤＣ−ＤＣコンバータからなり、整流平滑回路８０の直流出力２４Ｖをマイクロコンピュータ６０の入力に適した電圧、例えばその電源電圧である５Ｖに降圧する。
　【００３７】
　一方、駆動回路８１はドアスイッチ４２とグランドラインとの間に、各リレー７１〜７３の励磁コイル８６〜８８とスイッチング回路８９〜９１との直列回路を並列に接続して構成されている。ここで、スイッチング回路８９〜９１は同一構成であるので、例えばスイッチング回路８９についてのみ図６を参照して説明し、残るスイッチング回路９０，９１については説明を省略する。すなわち、スイッチング回路８９はＰＮＰ形トランジスタ９２とＮＰＮ形トランジスタ９３とを備えており、ＰＮＰ形のトランジスタ９２のベースはマイクロコンピュータ６０の出力ポートに接続され、コレクタは直流出力５Ｖの整流平滑回路５６のプラス側電源線５７に接続されていると共に、エミッタはＮＰＮ形トランジスタ９３のベースに接続されている。そして、ＮＰＮ形トランジスタ９３のコレクタはリレー７１の励磁コイル８６に接続され、エミッタはグランドラインに接続されている。なお、ＮＰＮ形トランジスタ９３のコレクタ−エミッタ間にはフライホイールダイオード９４が接続されている。
　【００３８】
　かかる構成の駆動回路８１において、リレースイッチ６７およびドアスイッチ４２がオンしている状態において、マイクロコンピュータ６０から各スイッチング回路８９〜９１にローレベルの駆動信号が出力されると、ＰＮＰ形トランジスタ９２がオンして整流平滑回路５６の直流出力がＮＰＮ形トランジスタ９３のベース−エミッタ間に印加されるため、該ＮＰＮ形トランジスタ９３がオンし、励磁コイル８６〜８８が通電されてリレースイッチ７４〜７６がオンする。しかしながら、リレースイッチ６７或いはドアスイッチ４２がオフしている状態で、マイクロコンピュータ６０から各スイッチング回路８９〜９１にローレベルの駆動信号が出力されても、ＮＰＮ形トランジスタ９３がオン動作することはない。以上のことから、駆動回路８１は直流電源部５０の直流電圧が印加されていない場合には無効状態にあり、その直流電圧が印加されると有効化されるものである。
　【００３９】
　このようにモータ３４、ＰＴＣヒータ３１，３２の通電路をリレースイッチ７４〜７６により開閉するようにした本実施例によれば、乾燥度検出用の電極４３に触れても感電するおそれがない。すなわち、モータ３４、ＰＴＣヒータ３１，３２の通電路をトライアック４７〜４９により開閉する構成の第１および第２実施例では、トライアック４７〜４９の一方の主電極よりも高い電圧或いは低い電圧をゲート信号として印加しないと該トライアック４７〜４９はオンしない。そこで、一方の交流母線４５とプラス側直流電源線５７とを接続して両者が同電位となるようにし、駆動回路６１のインバータ６３〜６５がプラス側直流電源線５７（一方の交流母線４５）よりも低い電圧のゲート信号をトライアック４７〜４９のゲートに印加するようにしている。
　【００４０】
　ところが、プラス側直流電源線５７を一方の交流母線４５に接続すると、電源プラグ４４をコンセントに差し込んだとき、交流電源のアース側が一方の交流母線４５（プラス側直流電源線５７）に接続される場合には良いが、逆に一方の交流母線４５が非アース側に接続されると、電極４３に触れたとき感電するおそれがある。しかしながら、本実施例では、プラス側直流電源線５７およびマイナス側直流電源線５８を交流母線４５および４６のいずれとも接続する必要はないので、電極４３に触れても感電のおそれはない。
　【００４１】
　また、本実施例ではリレースイッチ７４〜７６に比較的大きな電流が流れることから、リレー７１〜７３を比較的容量の大きなもで構成する必要があり、そのために励磁コイル８６〜８８の印加電圧を高く（例えば２４Ｖ）しなければならないという事情があっても、その電圧を電圧変換部８４，８５によりマイクロコンピュータ６０に適した電圧（例えば５Ｖ）に変換し、電源用操作スイッチ７０、リレースイッチ６７およびドアスイッチ４２のオン信号として入力できる。このため、駆動回路８１の直流電源である整流平滑回路８０を電源用操作スイッチ７０、リレースイッチ６７およびドアスイッチ４２のオン信号用の電源としてそのまま利用でき、構成が簡単となる。なお、リレーは周知のように一般的に耐トラッキング性に優れた構造になっており、トラッキングが発生するおそれはほとんどない。
　【００４２】
　なお、本発明は上記し且つ図面に示す実施例に限定されるものではなく、以下のような拡張または変更が可能である。
　ドアスイッチ４２、電源スイッチたるリレースイッチ６７、電源用操作スイッチ７０は駆動回路６１，８１とグランドラインとの間に設けても良い。
　ドラム２４とファン３０とは別々のモータにより駆動するようにしても良い。
　ファン３０、ＰＴＣヒータ３１，３２はドラム２４に供給する温風を生成する温風発生手段を構成するものであるが、ＰＴＣヒータ３１，３２はニクロム線等の抵抗発熱線からなるヒータで構成しても良い。
　【００４３】
　【発明の効果】
　請求項１記載のドラム式乾燥機では、直流電源部の直流電圧を駆動手段に印加する通電路をドアスイッチにより開閉する構成としたことにより、ドアスイッチには大きな電流が流れないので長寿命になると共に、ドアを開くとドアスイッチにより駆動手段への直流電圧の印加が断たれるため、駆動手段は無効化され、開閉手段がモータおよびヒータの通電路を開放するので、制御手段の制御機能が損われてもドアを開くことによってモータおよびヒータを断電することができる。
　【００４４】
　
しかも、
　【００４５】
　請求項
２
　【００４６】
　請求項
３
　【００４７】
　請求項
４
【図面の簡単な説明】
　【図１】
　本発明の第１実施例を示す電気回路図
　【図２】
　ドラム式乾燥機の正面図
　【図３】
　一部切除して示す縦断側面図
　【図４】
　本発明の第２実施例を示す図１相当図
　【図５】
　本発明の第３実施例を示す図１相当図
　【図６】
　スイッチング回路を示す電気回路図
　【図７】
　従来例を示す図１相当図
　【図８】
　他の従来例を示す図１相当図
　【符号の説明】
　２１は外箱、２２は出入口、２３はドア、３０はファン、３１，３２はＰＴＣヒータ、３４はモータ、４１は操作パネル、４２はドアスイッチ、４３は電極、４７〜４９はトライアック（開閉手段）、５０は直流電源部、６０はマイクロコンピュータ（制御手段）、６１は駆動回路（駆動手段）、６３〜６５はインバータ、６６はリレー、７０は電源用操作スイッチ、７１〜７３はリレー、７４〜７６はリレースイッチ（開閉手段）である。